(57)【特許請求の範囲】
【請求項１】
吐出ヘッドを立設した取付キャップで被蓋された液吐出容器であって、
吐出ヘッドが、所定の位置に配設された薄肉の変形可能部と、該変形可能部に係合押圧する押ボタンとを具備しており、該押ボタンは、支持板と、該支持板に取り付けられ円弧状に突出した湾曲面を下面に形成した押え板とを具え、
押ボタンを押し込むことによって変形可能部を常に一定に押圧変形させ、一定量の内容液を吐出するようにしたことを特徴とする液吐出容器。
【請求項２】
吐出ヘッドを立設した取付キャップで被蓋した液吐出容器であって、
吐出ヘッドが、薄肉の変形可能部を具えたドーム状基部と、上端に吐出筒を具えた液導出筒と、該液導出筒に連設され、前記変形可能部に係合する押ボタンとを具備しており、該押ボタンは、支持板と、該支持板に取り付けられ円弧状に突出した湾曲面を下面に形成した押え板とを具え、
押ボタンを押し込むことによって変形可能部を常に一定に押圧変形させ、一定量の内容液を吐出するようにしたことを特徴とする液吐出容器。
【請求項３】
吐出ヘッドに配設された薄肉の変形可能部が、吐出筒を具えた液導出筒に設けられていることを特徴とする請求項１記載の液吐出容器。
【請求項４】
吐出筒を密封する開閉蓋を具え、該開閉蓋を連結板を介して液導出筒の上端部に連設したことを特徴とする請求項２または３記載の液吐出容器。
【発明の詳細な説明】
【０００１】
【発明の属する技術分野】
本発明は、液吐出容器、とくに少量の内容液を定量吐出滴下させるようにした液吐出容器に関する。
【０００２】
【従来の技術】
容器口部にノズルを装着し、少量の内容液を吐出するようにした液吐出容器は、従来より知られており、その一例として、図８に示されているような液吐出容器が提案されている。
【０００３】
図８において、Ａｂは容器、Ｂｂは取付キャップ、Ｃｂは取付キャップＢｂに取着された薄肉の断面円形の操作部Ｃ１ｂと吐出ノズルＣ２ｂとからなる吐出ヘッド、Ｄｂは吐出ノズルＣ２ｂを被うノズルキャップである。
【０００４】
【発明が解決しようとする課題】
上記の液吐出容器は、内容液の吐出にあたって、液吐出容器を倒立させて、吐出ノズルＣ２ｂを下に向け、円筒形の操作部Ｃ１ｂを指先で摘んで押圧することによって、少量の内容液を吐出滴下させるようにしていた。
【０００５】
しかしながら、内容液の吐出量は、操作部Ｃ１ｂの押圧量によって規定されるものであるから、指先の操作により押圧の加減を調節し、常に必要とする吐出量を得ることが困難であるという問題点があった。
また、操作部Ｃ１ｂを二本の指で摘んで操作するため、容器を安定的に保持することが困難であるという問題点もあった。
【０００６】
さらに、ノズルキャップが円筒形で小さいものであるので、取り外したときに転がって、見失うおそれがあるという問題があった。
また、仕様書を読まない人は、従来のスクイズ容器と同様に考え、胴部を押圧して多量の内容液を吐出させるという本来の目的である少量吐出と異なる誤った使用をするおそれもあった。
【０００７】
本発明は、上記の問題点を解決し、常に少量の内容液を定量吐出滴下できるようにした液吐出容器を提供することを目的とする。
【０００８】
【課題を解決するための手段】
本発明は、上記の課題を解決するため、液吐出容器として、吐出ヘッドを立設した取付キャップで被蓋された液吐出容器であって、吐出ヘッドが、所定の位置に配設された薄肉の変形可能部と、該変形可能部に係合押圧する押ボタンとを具備しており、該押ボタンは、支持板と、該支持板に取り付けられ円弧状に突出した湾曲面を下面に形成した押え板とを具え、押ボタンを押し込むことによって変形可能部を常に一定に押圧変形させ、一定量の内容液を吐出するようにしたことを特徴とする構成を採用する。
【０００９】
液吐出容器の実施態様として、吐出ヘッドを立設した取付キャップで被蓋した液吐出容器であって、吐出ヘッドが、薄肉の変形可能部を具えたドーム状基部と、上端に吐出筒を具えた液導出筒と、該液導出筒に連設され、前記変形可能部に係合する押ボタンとを具備しており、該押ボタンは、支持板と、該支持板に取り付けられ円弧状に突出した湾曲面を下面に形成した押え板とを具え、押ボタンを押し込むことによって変形可能部を常に一定に押圧変形させ、一定量の内容液を吐出するようにしたことを特徴とする構成、或いは吐出ヘッドに配設された薄肉の変形可能部が、吐出筒を具えた液導出筒に設けられていることを特徴とする構成を採用する。
【００１０】
開閉蓋を紛失しないようにするため、上記各実施態様の吐出容器において、吐出筒を密封する開閉蓋を具え、該開閉蓋を連結板を介して液導出筒の上端部に連設したことを特徴とする構成を採用する。
【００１１】
【発明の実施の形態】
次に、本発明の実施形態について、図面を参照して説明する。
図１において、Ａは、硬質の合成樹脂、ガラス等で成形されたスクイズ不可能な容器で、内容液として薬用液、化粧液が収容される。
Ｂは、容器の口部に取着され上部に吐出ヘッドＣを立設した取付キャップであり、合成樹脂によって成形されている。
【００１２】
容器Ａは、口部１と肩部２、断面円形又は楕円形の胴部３と底部４とからなっており、口部１の外周には、ねじ５が螺設されている。
【００１３】
図２〜４に示すように、取付キャップＢは、側周壁６と環状の上壁７とを具えており、側周壁６の内周には、容器Ａの口部１に螺合するねじ８が螺設されている。
上壁７の内周端縁からは、口部１内周に嵌合し、容器Ａを密閉する密閉リング９が垂設されており、上壁７下面と口部１上面との間は、パッキンまたは必要な締め代を形成させることによって、密閉リング９とともに容器Ａを気密に密封するようにしている。
【００１４】
上壁７の内周端縁から上方に延びる段差周壁１０が突設され、その上端から吐出ヘッドＣが連設されている。
【００１５】
吐出ヘッドＣは、段差周壁１０の上面を覆うよう形成された変形可能部１１を具えたドーム状基部１２と、ドーム状基部１２より上方に延び、上部に吐出筒１３を具えた液導出筒１４とを備えている。
【００１６】
液導出筒１４は断面円形であり、その中心は、段差周壁１０の中心より偏寄しており、一方の外周は、段差周壁１０に接しているが、中央側の外周は、段差周壁１０の中心より右側に出ており、ドーム状基部１２の上端部分から上方に延びるようになっている。
【００１７】
ドーム状基部１２は、円筒部１５と球面部１６とからなっており、ドーム状基部１２の右半分の液導出筒１４を除く部分は、裏面側を薄肉部１７としている。
薄肉部１７は、ドーム基部１２の左半分の厚肉部、液導出筒１４との接続部を支軸として変形可能部１１を構成している。
【００１８】
液導出筒１４は、側周壁１８と頂壁１９とを具えており、ドーム状基部１２の上方の側周壁１８には、変形可能に係合する押ボタン２０が設けられている。
押ボタン２０は、図５に示すように、側周壁１８から突出する支持板２１と、該支持板２１の先端から下方に垂下し、その下端を水平方向に曲げ、さらに円弧状に湾曲させるようにして形成された押え板２２とを具えている。
【００１９】
押え板２２の表面は、中央は突出するように湾曲面２３となっており、支持板２１と押え板２２との間には、補強リブ２４が配設されている。
押え板２２に対応する支持板２１の上面には滑り止めのための複数の突条２５が設けられている。
【００２０】
図２，３に示すように液導出筒１４の側周壁１８の内部は液通路３０となっており、頂壁１９の上面には吐出筒１３が立設され、該吐出筒１３の中央は吐出孔３１となっている。
頂壁１９の下面には、液通路３０に続く凹孔３２が形成され、吐出筒１３の吐出孔３１と頂壁１９の凹孔３２との間は、隔壁３３となっており、該隔壁３３に吐出口３４が穿設されている。
【００２１】
液導出筒１４の側周壁１８上部には、連結板３５を介して、開閉蓋３６が連設されている。
開閉蓋３６は、外周面を湾曲面とした側周壁３７と底壁３８とからなり、底壁３８の中央には、吐出孔３１に嵌合する栓体３９が立設され、側周壁３７の連結板３５の反対側には、つまみ４０が設けられている。
【００２２】
次に、本発明の使用態様と作用効果について説明する。
内容液の吐出にあたって、容器Ａの肩部２と取付キャップＢを手で掴んで、開閉蓋３６を開いて吐出ヘッドＣを所望の方向に向ける。
その際、吐出口３４は細孔であり、容器自体は軟質でないので内容液は滴下しない。
【００２３】
次いで、押ボタン２０を指で押し下げると、所定量の内容物を吐出口３４より吐出孔３１を通じて吐出滴下させることができる。
その際、図２における変形可能部１１の縦断面の形状から分かるように、変形部の変形量はドームの球面部１６の円弧と円筒部１５の直線の長さによって制限されるから、図６に示すように押ボタン２０を押込んだときに、押ボタン２０の押え板２２の湾曲面２３の動きが制限され、薄肉部１７は常に同一の形状に変更される。
したがって、押ボタン２０を最後まで押し込むようにすると、常に一定量の内容液を吐出滴下させることができるのである。
【００２４】
次に別実施形態について説明する。
前記実施形態では、吐出ヘッドのドーム状基部に薄肉部を設け、開閉蓋を連結板を介して連結するようにしているが、図７に示すように、ドーム状基部を設けないで、吐出ヘッドの液導出筒に薄肉の変形可能部とそれに対応する押ボタンを設け、さらにヒンジ式開閉蓋を液導出筒の上端周辺に、蝶番を用いて取着してもよい。
以下、前記実施形態と同一の構成については同一の符号に添字ａを付けて図示して説明を省略し、異なる構成についてのみ説明する。
【００２５】
図７において、１４ａは、取付キャップＢａに立設され、上部に吐出筒１３ａを具えた液導出筒、３６ａはヒンジ式の開閉蓋である。
液導出筒１４ａの下部の所定個所には薄肉の凸部４１が設けられており、該凸部４１を押圧するよう液導出筒１４ａの対応する位置に押ボタン２０ａが設けられている。
【００２６】
開閉蓋３６ａは、連結片４２をもって液導出筒１４ａの上部に連接され、蝶番４３によって開閉自在に取着されている。
開閉蓋３６ａの頂壁には注出筒１３ａの注出孔３１ａを密封する密封リング４４が設けられている。
【００２７】
本実施形態の使用態様と作用効果については前実施形態の同様であり、押ボタン２０ａを最後まで押し込むようにすると、薄肉の凸部４１は常に同一の形状に変更され、常に一定量の内容液を吐出滴下させることができる。
【００２８】
【発明の効果】
本発明は、上記のように構成されているから、次の効果を奏する。
取付キャップに立設した吐出ヘッドの所定位置に薄肉の変形可能部を設け、変形可能部に対応する位置に押ボタンを設け、押ボタンを押し込んだときに変形可能部を常に一定の形状に変形させるようにしているので、一定量の内容物を少量吐出滴下させることができる。
また、押ボタンを一本の指で押すだけであるから、容器をしっかりと保持することができ、操作も容易である。
【図面の簡単な説明】
【図１】本発明液吐出容器の一部断面正面図である。
【図２】吐出ヘッドを取着した取付キャップの断面正面図である。
【図３】同取付キャップの上面図である。
【図４】押ボタンを一部断面とした取付キャップの右側面図である。
【図５】  押ボタンの説明図で、（ａ）は正面図、（ｂ）は右側面図、（ｃ）は図（ａ）のＡ−Ａ線における断面図である。
【図６】  押ボタンの押し込み時の説明図である。
【図７】  別実施形態の液吐出容器の取付キャップの説明図である。
【図８】  従来例の液吐出容器の説明図である。
【符号の説明】
Ａ、Ａａ、Ａｂ    容器
Ｂ、Ｂａ、Ｂｂ    取付キャップ
Ｃ、Ｃａ、Ｃｂ    吐出ヘッド
Ｃ１ｂ            操作部
Ｃ２ｂ            吐出ノズル
Ｄｂ              ノズルキャップ
１                口部
６                側周壁
７                上壁
１０              段差周壁
１１              変形可能部
１２              ドーム状基部
１３、１３ａ      吐出筒
１４、１４ａ      液導出筒
２０、２０ａ      押ボタン
２１              支持板
２２              押え板
３０              液通路
３１、３１ａ      吐出孔
３２              凹孔
３３              隔壁
３４              吐出口
３６、３６ａ      開閉蓋
３９              栓体
４１              凸部
４３              蝶番
４４              密封リング
【図１】
0003949327.tif 000002
【図２】
0003949327.tif 000003
【図３】
0003949327.tif 000004
【図４】
0003949327.tif 000005
【図５】
0003949327.tif 000006
【図６】
0003949327.tif 000007
【図７】
0003949327.tif 000008
【図８】
0003949327.tif 000009